(57)【要約】【課題】アルバムの自由な編集を可能にするとともに、そのアルバムを見せたいユーザに、簡単な操作で編集されたアルバムを閲覧させることができるようにする。【解決手段】アルバムアクセス制御部５１は、Album Infoのデータを取得して、ネットワークを介したサーバへの接続などの処理の実行を制御する。ローカルコンテンツ取得制御部５２は、ディスクに記録されているローカルコンテンツを読み出してメモリに保持させる処理の実行を制御する。オンラインコンテンツ取得制御部５３は、アクセスしたアルバムのオンラインコンテンツのうち、取得すべきコンテンツを選択し、選択されたコンテンツをダウンロードする。コンテンツ表示制御部５４は、例えば、ローカルコンテンツとオンラインコンテンツの画像をスライドショー表示させる処理の実行を制御する。【選択図】図５
2010160827.tif 000002
【特許請求の範囲】
【請求項１】
装着されたディスクを再生して、前記ディスクに記録されているプログラムを読み出すプログラム読み出し手段と、
前記読み出されたプログラムを実行することにより、前記ディスクに記録されているコンテンツを読み出すディスクコンテンツ読み出し手段と、
前記読み出されたプログラムを実行することにより、ネットワークを介して接続される機器に記憶されているコンテンツを取得するネットワークコンテンツ取得手段と、
前記読み出されたプログラムを実行することにより、前記ディスクから読み出されたコンテンツと、前記ネットワークを介して接続される機器から取得されたコンテンツの表示を制御する表示制御手段と
を備えるディスク再生装置。
【請求項２】
前記読み出されたプログラムを実行することにより、前記ディスクに記録されている情報であって、ネットワークを介して接続される機器に記憶されているコンテンツの記録位置を特定する情報を読み出すネットワーク情報読み出し手段をさらに備える
請求項１に記載のディスク再生装置。
【請求項３】
前記ネットワークコンテンツ取得手段は、前記ネットワークを介して接続される機器に記憶されているコンテンツに付加された情報に基づいて、取得すべきコンテンツを特定する
請求項１に記載のディスク再生装置。
【請求項４】
前記コンテンツに付加された、前記コンテンツの撮影日時を表す情報に基づいて、所定の期間内に撮影されたコンテンツを特定する
請求項３に記載のディスク再生装置。
【請求項５】
前記コンテンツに付加された、前記コンテンツの撮影場所を表す情報に基づいて、所定の位置において撮影されたコンテンツを特定する
請求項３に記載のディスク再生装置。
【請求項６】
前記表示制御手段は、
前記ディスクから読み出されたコンテンツと、前記ネットワークを介して接続される機器から取得されたコンテンツを合成して表示する
請求項１に記載のディスク再生装置。
【請求項７】
装着されたディスクを再生して、前記ディスクに記録されているプログラムを読み出し、
前記読み出されたプログラムを実行することにより、前記ディスクに記録されているコンテンツを読み出し、
前記読み出されたプログラムを実行することにより、ネットワークを介して接続される機器に記憶されているコンテンツを取得し、
前記読み出されたプログラムを実行することにより、前記ディスクから読み出されたコンテンツと、前記ネットワークを介して接続される機器から取得されたコンテンツの表示を制御する
ステップを含むディスク再生方法。
【請求項８】
コンピュータを、
ディスクに記録されているコンテンツを読み出すディスクコンテンツ読み出し手段と、
ネットワークを介して接続される機器に記憶されているコンテンツを取得するネットワークコンテンツ取得手段と、
前記ディスクから読み出されたコンテンツと、前記ネットワークを介して接続される機器から取得されたコンテンツの表示を制御する表示制御手段とを備えるディスク再生装置として機能させる
プログラム。
【請求項９】
コンピュータを、
ディスクに記録されているコンテンツを読み出すディスクコンテンツ読み出し手段と、
ネットワークを介して接続される機器に記憶されているコンテンツを取得するネットワークコンテンツ取得手段と、
前記ディスクから読み出されたコンテンツと、前記ネットワークを介して接続される機器から取得されたコンテンツの表示を制御する表示制御手段とを備えるディスク再生装置として機能させる
プログラムが記録されている記録媒体。
【請求項１０】
ディスクとして構成され、前記プログラムとともに、前記ネットワークを介して接続される機器に記憶されているコンテンツの記録位置を特定する情報、および前記コンテンツが記録されている
請求項９に記載の記録媒体。
【発明の詳細な説明】
【技術分野】
【０００１】
本発明は、ディスク再生装置および方法、プログラム、並びに記録媒体に関し、特に、アルバムの自由な編集を可能にするとともに、そのアルバムを見せたいユーザに、簡単な操作で編集されたアルバムを閲覧させることができるようにするディスク再生装置および方法、プログラム、並びに記録媒体に関する。
【背景技術】
【０００２】
近年、例えば、デジタルカメラなどにより撮影された画像をスライドショー表示するアプリケーションソフトウェアなどを実装したDVDプレーヤが普及している。このようなDVDプレーヤに、複数の画像を記録したＤＶＤを再生させると、それらの画像が順番に、所定の時間間隔でディスプレイに表示される。
【０００３】
また、例えば、ネットワークに接続されたパーソナルコンピュータなどから、デジタルカメラで撮影した画像のデータなどをアップロードし、アップロードされた画像群をアルバム風にレイアウトされたWebサイトとして公開するサービスも提供されている（例えば、非特許文献１参照）。
【０００４】
このようなサービスは、オンラインアルバムサービスと称されている。オンラインアルバムサービスにおいては、例えば、友人が撮影した画像に注釈を追加したり、参照用にコメントを記入したりすることができるようにすることもできる。また、オンラインアルバムサービスでは、所定のアルバムに画像を追加したり、削除したりすることも簡単に行なうことができる。
【０００５】
すなわち、オンラインアルバムサービスでは、複数のユーザが所定のアルバムを自由に編集することができる。このようなオンラインアルバムサービスを利用することにより、一度作成されたアルバムの内容を変更することも可能である。例えば、結婚式において撮影された記念写真を集めたアルバムに、その結婚式に参列した友人が撮影したスナップ写真を追加することも可能である。あるいはまた、例えば、子供が誕生してから成長していく過程において撮影された写真を、１つのアルバムに集めていくことも可能である。そして、上述のようなアルバムを家族や友人に公開することができるのである。
【先行技術文献】
【非特許文献】
【０００６】
【非特許文献１】http://picasa.google.co.jp/
【発明の概要】
【発明が解決しようとする課題】
【０００７】
しかしながら、オンラインアルバムサービスを利用する場合、通常、ユーザはパーソナルコンピュータなど利用してｗｅｂサーバにアクセスする必要があり、オンラインアルバムサービスの会員登録などを事前に行なう必要がある。従って、パーソナルコンピュータなどを操作して会員登録などを行った後でなければ、所定のアルバムの画像を閲覧することができない。
【０００８】
この点、DVDプレーヤに、複数の画像を記録したＤＶＤを再生させて、それらの画像をディスプレイに表示させるようにすれば、パーソナルコンピュータなどを操作して会員登録などを行うことなく、アルバムの画像の閲覧が可能になる。しかし、通常、ＤＶＤでは、追記的な書き込みが制限されており、一度作成されたアルバムの内容を変更することができない。
【０００９】
本発明はこのような状況に鑑みてなされたものであり、アルバムの自由な編集を可能にするとともに、そのアルバムを見せたいユーザに、簡単な操作で編集されたアルバムを閲覧させることができるようにするものである。
【課題を解決するための手段】
【００１０】
本発明の一側面は、装着されたディスクを再生して、前記ディスクに記録されているプログラムを読み出すプログラム読み出し手段と、前記読み出されたプログラムを実行することにより、前記ディスクに記録されているコンテンツを読み出すディスクコンテンツ読み出し手段と、前記読み出されたプログラムを実行することにより、ネットワークを介して接続される機器に記憶されているコンテンツを取得するネットワークコンテンツ取得手段と、前記読み出されたプログラムを実行することにより、前記ディスクから読み出されたコンテンツと、前記ネットワークを介して接続される機器から取得されたコンテンツの表示を制御する表示制御手段とを備えるディスク再生装置である。
【００１１】
前記読み出されたプログラムを実行することにより、前記ディスクに記録されている情報であって、ネットワークを介して接続される機器に記憶されているコンテンツの記録位置を特定する情報を読み出すネットワーク情報読み出し手段をさらに備えるようにすることができる。
【００１２】
前記ネットワークコンテンツ取得手段は、前記ネットワークを介して接続される機器に記憶されているコンテンツに付加された情報に基づいて、取得すべきコンテンツを特定するようにすることができる。
【００１３】
前記コンテンツに付加された、前記コンテンツの撮影日時を表す情報に基づいて、所定の期間内に撮影されたコンテンツを特定するようにすることができる。
【００１４】
前記コンテンツに付加された、前記コンテンツの撮影場所を表す情報に基づいて、所定の位置において撮影されたコンテンツを特定するようにすることができる。
【００１５】
前記表示制御手段は、前記ディスクから読み出されたコンテンツと、前記ネットワークを介して接続される機器から取得されたコンテンツを合成して表示するようにすることができる。
【００１６】
本発明の一側面は、装着されたディスクを再生して、前記ディスクに記録されているプログラムを読み出し、前記読み出されたプログラムを実行することにより、前記ディスクに記録されているコンテンツを読み出し、前記読み出されたプログラムを実行することにより、ネットワークを介して接続される機器に記憶されているコンテンツを取得し、前記読み出されたプログラムを実行することにより、前記ディスクから読み出されたコンテンツと、前記ネットワークを介して接続される機器から取得されたコンテンツの表示を制御するステップを含むディスク再生方法である。
【００１７】
本発明の一側面は、コンピュータを、ディスクに記録されているコンテンツを読み出すディスクコンテンツ読み出し手段と、ネットワークを介して接続される機器に記憶されているコンテンツを取得するネットワークコンテンツ取得手段と、前記ディスクから読み出されたコンテンツと、前記ネットワークを介して接続される機器から取得されたコンテンツの表示を制御する表示制御手段とを備えるディスク再生装置として機能させるプログラムである。
【００１８】
本発明の一側面は、コンピュータを、ディスクに記録されているコンテンツを読み出すディスクコンテンツ読み出し手段と、ネットワークを介して接続される機器に記憶されているコンテンツを取得するネットワークコンテンツ取得手段と、前記ディスクから読み出されたコンテンツと、前記ネットワークを介して接続される機器から取得されたコンテンツの表示を制御する表示制御手段とを備えるディスク再生装置として機能させるプログラムが記録されている記録媒体である。
【００１９】
ディスクとして構成され、前記プログラムとともに、前記ネットワークを介して接続される機器に記憶されているコンテンツの記録位置を特定する情報、および前記コンテンツが記録されているようにすることができる。
【００２０】
本発明の一側面においては、装着されたディスクを再生して、前記ディスクに記録されているプログラムが読み出され、前記読み出されたプログラムを実行することにより、前記ディスクに記録されているコンテンツが読み出され、前記読み出されたプログラムを実行することにより、ネットワークを介して接続される機器に記憶されているコンテンツが取得され、前記読み出されたプログラムを実行することにより、前記ディスクから読み出されたコンテンツと、前記ネットワークを介して接続される機器から取得されたコンテンツの表示が制御される。
【発明の効果】
【００２１】
本発明によれば、アルバムの自由な編集を可能にするとともに、そのアルバムを見せたいユーザに、簡単な操作で編集されたアルバムを閲覧させることができる。
【図面の簡単な説明】
【００２２】
【図１】本発明の一実施の形態に係るネットワークシステム１０の構成例を示すブロック図である。
【図２】図１のサーバの記憶部に記憶されるデータの構成例を示す図である。
【図３】ディスクに記憶されるデータの例を説明する図である。
【図４】ディスクオーサリング処理を説明するフローチャートである。
【図５】制御部で実行されるソフトウェアであって、ディスクに記録されるBD-Jの機能的構成例を示すブロック図である。
【図６】ディスク再生処理の例を説明するフローチャートである。
【図７】オンラインコンテンツ取得処理の例を説明するフローチャートである。
【図８】ローカルコンテンツとオンラインコンテンツが合成されて表示される場合のディスプレイの画面の例を示す図である。
【図９】ローカルコンテンツとオンラインコンテンツが合成されて表示される場合のディスプレイの画面の別の例を示す図である。
【図１０】端末で再生可能なデータを記録した記録媒体の製造について説明するための図である。
【図１１】端末で再生可能なデータを記録した記録媒体の製造について説明するための図である。
【図１２】パーソナルコンピュータの構成例を示すブロック図である。
【発明を実施するための形態】
【００２３】
以下、図面を参照して、本発明の実施の形態について説明する。
【００２４】
図１は、本発明の一実施の形態に係るネットワークシステム１０の構成例を示すブロック図である。ネットワークシステム１０においては、例えば、端末１１のユーザが、インターネットなどのネットワーク１３を介してサーバ１４にアクセスし、オンラインアルバムサービスなどの提供を受けることができるようになされている。
【００２５】
オンラインアルバムサービスは、例えば、ネットワーク１３に接続可能なユーザが、サーバ１４の機能を利用してネットワーク１３上でアルバム風のWebサイトを作成できるサービスとされる。オンラインアルバムサービスでは、例えば、ネットワーク１３に接続されたＰＣ（パーソナルコンピュータ）１５から、デジタルカメラで撮影した画像のデータをサーバ１４にアップロードし、アルバムと称される単位の画像群としてサーバ１４に記憶される。
【００２６】
そして、ＰＣ１５からアップロードされた画像群をアルバム風にレイアウトされたWebサイトとして公開することができる。オンラインアルバムサービスにおいては、アップロードされた画像が、例えば、予めサーバ１４に登録された会員向けに公開されるようになされている。
【００２７】
例えば、ユーザがＰＣ１５などによりネットワーク１３を介してサーバ１４にアクセスし、オンラインアルバムサービスの会員登録をする。会員登録したユーザに対して、サーバ１４においてオンラインアルバムサービスのために割り当てられた記憶領域を特定するためのURL（Uniform Resource Locator）などが通知される。また、オンラインアルバムサービスにおいてユーザが編集可能な１つのアルバムとして割り当てられた記憶領域を特定するためのURLなどが通知されるようにすることもできる。以後、ユーザは、例えば、このＵＲＬに基づいて所定のアルバムの画像のデータをＰＣ１５や端末１１などにダウンロードして画像を表示させることができる。
【００２８】
また、オンラインアルバムサービスにおいては、アップロードされた画像が、例えば、家族や友人だけに公開されるようにすることもできる。この場合、アルバムにアクセスするためのパスワード等が設定され、上述したＵＲＬとパスワード等に基づいて所定のアルバムの画像のデータが取得できるようになる。
【００２９】
また、オンラインアルバムサービスでは、サーバ１４にアップロードされた画像のそれぞれに、コメントを付加することができるようになされている。例えば、所定のアルバムにアクセス可能なユーザが、そのアルバムの画像を見た観想などをテキストデータなどとしてサーバ１４に記憶させることで、その画像にコメントを付加することができるようになされている。オンラインアルバムサービスにより公開される画像は、付加されたコメントとともに公開される。
【００３０】
端末１１は、サーバ１４にアクセスしてオンラインアルバムサービスの提供を受けることにより、所望のアルバムの画像群のデータをそれぞれ取得し、例えば、それらの画像をディスプレイ１６にスライドショー表示させることができる。
【００３１】
端末１１には、ディスク１２が装着され、ディスク１２の再生が行なわれる。端末１１は、例えば、BD（Blu-Ray Disc）プレーヤ、BDレコーダなどとして構成され、例えば、インターネットなどのネットワーク１３への接続端子を有する構成とされる。
【００３２】
端末１１は、ディスク１２を装着するドライブを有しており、ドライブに装着されたディスク１２からのデータの読み出しを行う。また、ディスク１２が書き込み可能な記録媒体である場合、端末１１によりディスク１２へのデータの書き込みが行われるようにしてもよい。
【００３３】
ディスク１２は、例えば、Blu-Ray Disc（商標）などとされる。従来のDVDの記録容量が約4.7Gバイトであるのに対し、Blu-Ray Discは、約25Gバイトの膨大な記録容量を有している。また、ディスク１２には、予め所定のプログラムが記録されており、ディスク１２が端末１１で再生されたとき、ディスク１２に記録されているプログラムが制御部２１により実行されるようになされている。
【００３４】
ディスク１２に予め記録されているプログラムは、例えば、コンピュータの機種、OSなどに依存しない、ネットワークでの使用に対応したプログラム言語で記述されており、端末１１のメーカや機種の如何に係らず、実行可能となるようになされている。このプログラムは、例えば、ディスク１２のメーカにより生成されるようにしてもよいし、端末１１のメーカにより生成されてもよい。
【００３５】
Blu-Ray Discは、例えば、従来のDVDなどと比較して、ユーザにディスクの記録内容を提示したり、ユーザの入力を受け付けて次の動作を設定するナビゲーション機能が強化されている。このナビゲーション機能は、Blu-Ray Disc（ディスク１２）に記録されているプログラムが制御部２１により実行されることにより実現され、具体的には、プログラム言語Java（登録商標）で記述されたBD-Jと称されるアプリケーションプログラム群により各種のナビゲーション機能が実現される。
【００３６】
端末１１の制御部２１は、例えば、プロセッサ、メモリなどを有する構成とされ、端末１１の各部を制御する。制御部２１は、ネットワーク１３を介して行われる端末１１とサーバ１４の通信に関する処理の制御も行うようになされている。制御部２１は、後述するように、ディスク１２から読み出されたプログラムなどのソフトウェアを実行可能な構成とされている。
【００３７】
サーバ１４は、例えば、ネットワーク１３に接続可能な汎用のコンピュータなどとして構成される。サーバ１４は、例えば、プロセッサ、メモリなどを有する制御部３１、およびHDD（Hard Disk Drive）などにより構成される記憶部３２を有している。記憶部３２には、制御部３１で実行されるプログラムなどが記憶されており、所定のプログラムが制御部３１により実行されることで、サーバ１４によるオンラインアルバムサービスの提供が実現される。また、オンラインアルバムサービスで使用される画像としてアップロードされた画像のデータは、記憶部３２に記憶される。
【００３８】
なお、図１の例では、１台のＰＣ１５、および１台の端末１１がネットワーク１３に接続される構成とされているが、実際には、もっと多くにＰＣ、端末がネットワーク１３に接続されている。
【００３９】
図２は、サーバ１４の記憶部３２に記憶されるデータの構成例を示す図である。同図の例では、記憶部３２に記憶されるデータがディレクトリ構造を有するものとされている。
【００４０】
図２の例では、アルバムA、アルバムB、・・・のディレクトリが生成されている。アルバムA、アルバムB、・・・のディレクトリは、例えば、オンラインアルバムサービスの提供を受けるＰＣ１５のユーザなどにより、画像のデータのアップロードに先立って生成される。例えば、アルバムＡは、結婚式のアルバムとされ、アルバムＢは、家族旅行のアルバムとされる。
【００４１】
例えば、ＰＣ１５のユーザは、結婚式や披露宴、新婚旅行などで撮影した画像のデータをアルバムＡの画像としてアップロードする。ここでは、オンラインアルバムサービスで使用される画像のデータなどをコンテンツと称することにする。この例では、アルバムＡのディレクトリにコンテンツａ、コンテンツｂ、およびコンテンツｃが対応付けられている。また、アルバムＢのディレクトリにコンテンツｄ、およびコンテンツｅが対応付けられている。コンテンツａ乃至コンテンツｅは、例えば、１枚の静止画像のデータに対応するディレクトリとされ、コンテンツａ乃至コンテンツｅにより、それぞれの画像のデータの記憶位置（アドレスなど）が特定されるようになされている。
【００４２】
すなわち、端末１１がオンラインアルバムサービスの提供を受ける場合、サーバ１４の記憶部３２の所望のディレクトリ（例えば、アルバムＡのディレクトリ）にアクセスする。そして、当該ディレクトリに対応付けられて記憶されている画像のデータ（例えば、コンテンツａ乃至コンテンツｃに対応する画像のデータ）がそれぞれ読み出されて、端末１１により取得（ダウンロード）されることになる。
【００４３】
なお、ユーザは、各アルバムに対応付けて記憶される画像のデータを追加したり、削除したりすることも可能である。
【００４４】
また、コンテンツａ乃至コンテンツｅのディレクトリには、必要に応じてコメントを対応付けて記憶することができるようになされている。この例では、コンテンツａのディレクトリにコメント１とコメント２が対応付けられている。コメント１とコメント２は、例えば、１つのコメントのデータに対応するディレクトリとされ、コメント１とコメント２により、それぞれのコメントのデータの記憶位置が特定されるようになされている。
【００４５】
図３は、ディスク１２に記憶されるデータの例を説明する図である。同図の例では、ＰＣ１５により、ディスク１２にデータが記録されるものとする。なお、ＰＣ１５は、ディスク１２を装着可能なドライブを有するものとする。
【００４６】
ＰＣ１５には、ディスクオーサリングアプリケーションプログラムが実装されており、ディスクオーサリングアプリケーションプログラムを実行することにより、ディスク１２にデータの書き込みが行なわれる。
【００４７】
ＰＣ１５は、例えば、ＨＤＤなどの記録媒体に、デジタルカメラなどで撮影された画像のデータなどのコンテンツを記憶している。また、ＰＣ１５は、ネットワーク１３を介してサーバ１４にアクセスできるようになされており、サーバ１４により提供されるオンラインアルバムサービスを利用してコンテンツを取得することもできる。サーバ１４の所定のアルバムのディレクトリにアクセスすると、そのアルバムのコンテンツ、および「Album Info」のデータの記憶位置が特定され、それらのデータを取得できるようになされている。「Album Info」のデータは、サーバ１４の所定のアルバムにアクセスするためのデータとされ、例えば、サーバ１４の当該アルバムを特定するURL、ＩＤ、パスワードなどにより構成されるデータとされる。
【００４８】
なお、オンラインアルバムサービスを利用して取得されるコンテンツをオンラインコンテンツと称することにする。
【００４９】
また、ＰＣ１５には、上述したBD-Jと称されるアプリケーションプログラム群のバイトコードが予め記憶されている。
【００５０】
ＰＣ１５により、ディスク１２にデータを書き込む際には、例えば、ディスク１２に書き込むべき画像として、予めＰＣ１５のＨＤＤなどに記憶されている、デジタルカメラなどで撮影された画像のデータなどのコンテンツを取得する。あるいはまた、ディスク１２に書き込むべき画像のアルバムにアクセスし、そのアルバムのオンラインコンテンツを取得（ダウンロード）するようにしてもよい。
【００５１】
またこのとき、ディスク１２に対応するオンラインアルバムサービスのアルバムの「Album Info」のデータもサーバ１４からダウンロードされるなどして取得される。そして、ディスクオーサリングアプリケーションプログラムの処理により、ディスク１２に、「Album Info」のデータ、オンラインコンテンツ、およびBD-Jのバイトコードが書き込まれて記録されるようになされている。
【００５２】
なお、ディスク１２に記録されているコンテンツをローカルコンテンツと称することにする。ローカルコンテンツは、ディスク１２に記録された後、追加したり削除したりすることはできないようになされている。一方、オンラインコンテンツは、追加されたり、削除されたりすることがある。
【００５３】
ＢＤプレーヤ（図１の端末１１）にディスク１２が装着され、再生されると、ディスク１２から「Album Info」のデータ、ローカルコンテンツ、BD-Jのバイトコードが読み出され、それらのデータは制御部２１のメモリにロードされる。
【００５４】
そして、BD-Jのアプリケーションプログラム群が、制御部２１で実行されることにより、端末１１は、サーバ１４の所定のアルバムにアクセスし、オンラインコンテンツをダウンロードし、制御部２１のメモリに保持する。すなわち、BD-Jのアプリケーションプログラムにより、オンラインアルバムサービスを利用するためのサーバ１４へのログイン処理、コンテンツのダウンロード処理などが自動的に実行される。
【００５５】
さらに、制御部２１は、例えば、ローカルコンテンツとオンラインコンテンツの画像をディスプレイ１６にスライドショー表示させる。すなわち、BD-Jのアプリケーションプログラムにより、ディスク１２から読み出されたデータの画像と、サーバ１４からダウンロードしたデータの画像のそれぞれを、所定の表示時間で順番に表示させる処理などが自動的に実行される。
【００５６】
上述したように、オンラインアルバムサービスでは、ユーザが、各アルバムに対応付けて記憶される画像のデータを追加したり、削除したりすることが可能である。従って、ディスク１２に記録されたローカルコンテンツを追加したり、削除したりすることはできなくても、オンラインアルバムサービスのアルバムに画像を追加したり、削除したりすることで、仮想的にアルバムを編集することができる。
【００５７】
つまり、ローカルコンテンツがディスク１２に記録されて作成されたアルバムを、事後的に編集することが可能となるのである。
【００５８】
次に、図４のフローチャートを参照して、ＰＣ１５によるディスクオーサリング処理の例について説明する。この処理は、例えば、ユーザによる操作や指令などに基づいて実行される。
【００５９】
ステップＳ２１において、ＰＣ１５は、自身のドライブにオーサリング可能なディスク１２が装着されているか否かを判定し、オーサリング可能なディスク１２が装着されていると判定されるまで待機する。また、ステップＳ２１において、オーサリング可能なディスク１２が装着されていないと判定された場合、エラー処理が実行されるようにし、処理が終了されるようにしてもよい。
【００６０】
ステップＳ２１において、オーサリング可能なディスク１２が装着されていると判定された場合、処理は、ステップＳ２２に進む。
【００６１】
ステップＳ２２において、ＰＣ１５は、ディスク１２に書き込むべきコンテンツを取得する。このとき、例えば、予めＰＣ１５のＨＤＤなどに記憶されているコンテンツが取得される。
【００６２】
ステップＳ２３において、ＰＣ１５は、「Album Info」のデータを取得する。
【００６３】
ステップＳ２４において、ＰＣ１５は、ステップＳ２２の処理で取得したコンテンツと、ステップＳ２３の処理で取得した「Album Info」のデータを、ディスク１２に書き込む。
【００６４】
ステップＳ２５において、ＰＣ１５は、BD-Jのバイトコードをディスク１２に書き込む。
【００６５】
あるいはまた、オンラインアルバムサービスのアルバムのコンテンツがディスク１２に書き込まれるようにしてもよい。この場合、ＰＣ１５はサーバ１４にアクセスし、さらにサーバ１４により提供されるオンラインアルバムサービスの所定のアルバムにアクセスする。そして、例えば、ディスクオーサリングアプリケーションプログラムの処理により、ディスク１２に記録すべきコンテンツの選択が受け付けられ、その際、ユーザがオンラインアルバムサービスの所望のアルバムを指定する。
【００６６】
これにより、ステップＳ２２において、ＰＣ１５は、オンラインアルバムサービスのアルバムのコンテンツを取得（ダウンロード）することになる。また、ステップＳ２３において、当該アルバムの「Album Info」のデータが取得されることになる。
【００６７】
このようにしてディスクオーサリング処理が実行される。これにより、ＰＣ１５のユーザは、例えば、図３を参照して上述したようなデータが記録されたディスク１２を作成することができる。
【００６８】
ＰＣ１５のユーザは、図４のディスクオーサリング処理により作成されたディスク１２を、例えば、友人、家族などに配布する。ここで、友人、家族などは、ＰＣ１５のユーザが、ディスク１２に記録されているコンテンツの画像のアルバムを見せたいと考える人物である。
【００６９】
図５は、ディスク１２に記録されるBD-Jの機能的構成例を示すブロック図である。同図に示されるアルバムアクセス制御部５１は、Album Infoのデータを取得して、ネットワーク１３を介したサーバ１４への接続などの処理の実行を制御するようになされている。アルバムアクセス制御部５１は、最終的に、Album Infoのデータにより特定されるオンラインアルバムサービスの所定のアルバムへのアクセスを制御する。
【００７０】
アルバムアクセス制御部５１は、例えば、ネットワーク１３を介したサーバ１４との通信処理の制御を行なう。また、アルバムアクセス制御部５１は、オンラインアルバムサービスを利用するためのサーバ１４へのログイン処理、必要に応じてパスワードを入力する処理の制御を行う。さらに、アルバムアクセス制御部５１は、ダウンロードすべきオンラインコンテンツを有するアルバム（例えば、図２のアルバムＡ、アルバムB）へのアクセスの処理の制御を行う。
【００７１】
ローカルコンテンツ取得制御部５２は、ディスク１２に記録されているローカルコンテンツを読み出してメモリに保持させる処理の実行を制御する。
【００７２】
オンラインコンテンツ取得制御部５３は、アルバムアクセス制御部５１の処理によりアクセスされたアルバムのオンラインコンテンツのうち、取得すべきコンテンツを選択し、選択されたコンテンツをダウンロードするようになされている。
【００７３】
コンテンツ表示制御部５４は、サーバ１４からダウンロードしたオンラインコンテンツおよびディスク１２から読み出されたローカルコンテンツの表示を制御する。コンテンツ表示制御部５４は、例えば、ローカルコンテンツとオンラインコンテンツの画像をディスプレイ１６にスライドショー表示させる処理の実行を制御する。
【００７４】
次に、図６のフローチャートを参照して、端末１１によるディスク再生処理について説明する。この処理は、例えば、図４のディスクオーサリング処理によって作成されたディスク１２を受け取ったユーザが、端末１１においてディスク１２の再生を指令したとき実行される。
【００７５】
ステップＳ４１において、端末１１の制御部２１は、自身のドライブにディスク１２が装着されているか否かを判定し、ディスク１２が装着されていると判定されるまで待機する。また、ステップＳ４１において、ディスク１２が装着されていないと判定された場合、エラー処理が実行されるようにし、処理が終了されるようにしてもよい。
【００７６】
ステップＳ４１において、ディスク１２が装着されていると判定された場合、処理は、ステップＳ４２に進む。
【００７７】
ステップＳ４２において、制御部２１は、ディスク１２に記録されているＢＤ−Ｊのバイトコードを読み出して、メモリにロードする。この後、ＢＤ−Ｊのアプリケーションプログラム群が制御部２１により実行されることになる。
【００７８】
ステップＳ４３において、アルバムアクセス制御部５１は、ディスク１２に記録されているAlbum Infoのデータを読み出して制御部２１のメモリなどに保持する。
【００７９】
ステップＳ４４において、ローカルコンテンツ取得制御部５２は、ディスク１２に記録されているローカルコンテンツを読み出して制御部２１のメモリなどに保持する。
【００８０】
ステップＳ４５において、アルバムアクセス制御部５１は、ステップＳ４３の処理で取得したAlbum Infoのデータにより特定されるサーバ１４の所定のアルバムにアクセスする。このとき、例えば、ネットワーク１３を介して、端末１１とサーバ１４との通信処理が開始される。また、オンラインアルバムサービスを利用するためのサーバ１４へのログインがなされ、必要に応じてパスワードが入力される。さらに、ダウンロードすべきオンラインコンテンツを有するアルバムへのアクセスが行われる。
【００８１】
ステップＳ４６において、オンラインコンテンツ取得制御部５３は、図７を参照して後述するオンラインコンテンツ取得処理を実行する。これにより、ステップＳ４５の処理でアクセスしたアルバムのコンテンツのうち、取得すべきコンテンツが特定されてダウンロードされる。
【００８２】
ステップＳ４７において、コンテンツ表示制御部５４は、ステップＳ４４の処理で取得されたローカルコンテンツと、ステップＳ４６の処理で取得されたオンラインコンテンツの画像をディスプレイ１６にスライドショー表示させる。また、このとき、オンラインコンテンツに付加されたコメントが必要に応じて画像に重畳されて表示されるようにしてもよい。
【００８３】
ステップＳ４８において、処理の終了が指令されたか否かを判定する。まだ、処理の終了が指令されていないと判定された場合、処理は、ステップＳ４７に戻る。
【００８４】
例えば、ユーザが図示せぬリモコンなどを操作して処理の終了を指令した場合、ステップＳ４８において、処理の終了が指令されたと判定され、処理は終了する。
【００８５】
このようにして、ディスク１２が再生される。
【００８６】
次に、図７のフローチャートを参照して、図６のステップＳ４６のオンラインコンテンツ取得処理の詳細な例について説明する。
【００８７】
ステップＳ６１において、オンラインコンテンツ取得制御部５３は、取得条件を抽出する。このとき、例えば、取得すべきオンラインコンテンツの条件が抽出される。例えば、ステップＳ４５の処理でアクセスしたアルバムのオンラインコンテンツのうち、ディスク１２に記録されていないオンラインコンテンツを取得するものとして取得条件が設定される。取得条件は、例えば、ユーザの操作などに基づいて設定されるようにしてもよいし、予め設定されているようにしてもよい。
【００８８】
また、オンラインコンテンツの画像の撮影日時などが取得条件として設定されるようにしてもよい。画像のデータには、その画像の撮影日時を表す情報が付加されている。例えば、２００８年１２月８日以後に撮影されたオンラインコンテンツのみが取得されるように取得条件が設定されるようにしてもよい。または、例えば、２００８年１２月１日から２００８年１２月８日までの期間内に撮影されたオンラインコンテンツのみが取得されるように取得条件が設定されるようにしてもよい。
【００８９】
あるいはまた、例えば、オンラインコンテンツの撮影場所の緯度、経度などを表すGPS（global positioning system）情報がオンラインコンテンツに対応付けられて記憶されている場合、GPS情報に基づく取得条件が設定されるようにしてよい。例えば、ローカルコンテンツの撮影場所の緯度、経度などが予め特定されているものとし、ローカルコンテンツの撮影場所の近辺で撮影されたオンラインコンテンツがGPS情報に基づいて特定されて取得されるように、取得条件が設定されるようにしてもよい。このようにすることで、例えば、家で撮影された画像のみが表示されるようにしたり、学校で撮影された画像のみが表示されたりするように、アルバムを編集することができる。
【００９０】
さらに、予めオンラインコンテンツの画像が解析されて、顔画像認識されるようにし、同一人物が写っている画像のオンラインコンテンツのみが取得されるように、取得条件が設定されるようにしてもよい。このようにすることで、例えば、家族の中で子供を撮影した画像のみが表示されるようにすることができる。これにより、例えば、子供の成長記録が表示されるように、アルバムを編集することができる。
【００９１】
勿論、ステップＳ４５の処理でアクセスしたアルバムのオンラインコンテンツが全て取得されるように、取得条件が設定されるようにしてもよい。
【００９２】
ステップＳ６１では、このような取得条件が抽出される。
【００９３】
ステップＳ６２において、オンラインコンテンツ取得制御部５３は、ステップＳ６１の処理で抽出された取得条件に合致するオンラインコンテンツを検索する。
【００９４】
ステップＳ６３において、オンラインコンテンツ取得制御部５３は、ステップＳ６２の処理で検索されたオンラインコンテンツをダウンロードする。
【００９５】
このようにして、オンラインコンテンツが取得される。
【００９６】
図６と図７を参照して上述した処理により、ローカルコンテンツとオンラインコンテンツの画像をディスプレイ１６にスライドショー表示させることが可能となる。
【００９７】
ステップＳ４７のスライドショー表示では、例えば、ローカルコンテンツとオンラインコンテンツが順番に表示されるようにしてもよいし、ローカルコンテンツとオンラインコンテンツが合成されて表示されるようにしてもよい。
【００９８】
図８は、ローカルコンテンツとオンラインコンテンツが合成されて表示される場合のディスプレイ１６の画面の例を示す図である。
【００９９】
図８の例では、ディスプレイ１６の画面８０の中央にローカルコンテンツの画像８１が表示されており、画面左上側にオンラインコンテンツの画像８２が、画面右下側にオンラインコンテンツの画像８３が、それぞれ合成されて表示されている。
【０１００】
例えば、画像８１は、ユーザＡの結婚式でプロカメラマンが撮影した画像とされる。ユーザＡは、プロカメラマンが撮影した画像８１などのローカルコンテンツをディスク１２に記録し、オンラインアルバムサービスを利用可能なアルバムとして結婚式に出席した友人であるユーザＢとユーザＣにディスク１２を配布する。ユーザＢとユーザＣは、オンラインアルバムサービスを利用して、自身が撮影した画像８２と画像８３を当該アルバムの画像としてアップロードする。その後、ディスク１２を端末１１に装着してアルバムの画像をスライドショー表示させると、図８のような画像が表示されることになる。
【０１０１】
このようにすることで、ユーザＡ、ユーザＢ、およびユーザＣは、プロカメラマンが撮影した画像８１とともに、自分たちが撮影した画像８２と画像８３を閲覧することができる。このようにすることで、記念写真である画像８１とともに、スナップショットの画像８２と画像８３が同時に表示され、結婚式の思い出をより楽しく印象深いものとすることができる。
【０１０２】
また、例えば、見る度に異なるコンテンツが追加されて表示されるので、同じアルバムを何度でも楽しむことができる。さらに、例えば、解像度の高い画像のデータは、データ量が大きいのでディスク１２に記録して配布し、解像度の低いデータは、データ量が小さいので、オンラインコンテンツとして提供するようにすることも可能となる。
【０１０３】
図９は、ローカルコンテンツとオンラインコンテンツが合成されて表示される場合のディスプレイ１６の画面の別の例を示す図である。
【０１０４】
図９の例では、ディスプレイ１６の画面９０の左側にオンラインコンテンツの画像９１が表示されており、画面右側にローカルコンテンツの画像９２が表示されている。
【０１０５】
例えば、画像９１と画像９２は同一人物を被写体として撮影した画像とされ、画像９１は、最近撮影された画像とされ、画像９２は数年前に撮影された画像とされる。このようにすることで、例えば、その人物の近況と過去を対比できるようにして画像を表示させることができる。
【０１０６】
例えば、ユーザＤが、自分の親であるユーザＥに、ユーザＤの子供を撮影した画像のアルバムとしてディスク１２を配布した場合を考える。ディスク１２を受け取った当初、ユーザＥは、ディスク１２を端末１１により再生してディスク１２に記録されている孫の画像を閲覧することができる。
【０１０７】
また、上述したように、オンラインアルバムサービスでは、必要に応じてアルバムにオンラインコンテンツを追加したり削除したりすることが可能である。ユーザＤは、オンラインアルバムサービスのアルバムに、ユーザＤの子供を撮影した画像を逐次アップロードして追加する。
【０１０８】
その後、ユーザＥがディスク１２を端末１１により再生すると、ディスク１２に記録されている孫の画像だけでなく、新たに追加された孫の画像をも閲覧することができる。また、このとき、例えば、図９に示されるような画像をディスプレイ１６に表示せるようにすることもできる。すなわち、図６を参照して上述した処理が実行されることにより、オンラインアルバムサービスのアルバムに追加されたオンラインコンテンツが自動的に取得され、オンラインコンテンツとローカルコンテンツがディスプレイ１６に表示される。
【０１０９】
上述したように、ディスク１２には、サーバ１４の所定のアルバムにアクセスするための「Album Info」のデータが記録されているので、ユーザＥは、オンラインアルバムサービスの利用方法などを知らなくても、オンラインコンテンツを取得できる。そして、ユーザＥは、都度、オンラインアルバムサービスにログインするなどの操作をしなくとも、新たに追加された孫の画像を閲覧することができる。また、ユーザＥがＰＣなどの機器を所有していなくとも、オンラインコンテンツを自分の端末１１に接続されたディスプレイに表示させることができる。
【０１１０】
さらに、オンラインアルバムサービスの当該アルバムに、パスワードなどを設定しておくことにより、ユーザＤとユーザＥのみが当該アルバムの画像を閲覧することができるようになる。この場合も、ユーザＥは、都度、パスワードを入力するなどの操作をしなくとも、新たに追加された孫の画像を閲覧することができる。従って、例えば、ユーザＤとユーザＥの居所が離れている場合などでも、ユーザＥは、成長していく孫の画像をいつでも見ることができる。
【０１１１】
また、新たに追加されたコンテンツをユーザＥに自然に気づかせることも可能となるから、ユーザDは、画像をアップロードするだけで、ユーザEにその画像を閲覧させることが可能となる。さらに、パスワードを設定するなどすることにより、ユーザE以外の人物がアルバムの画像を閲覧できないようにすることもできる。従って、ユーザDも安心して、アルバムの編集を楽しむことが可能となる。
【０１１２】
このようにすることで、ユーザＥは、孫の成長を実感でき、より楽しいスライドショー表示を実現できる。
【０１１３】
従来、オンラインアルバムサービスを利用する場合、通常、ユーザはＰＣなど利用してサーバにアクセスする必要があり、オンラインアルバムサービスの会員登録などを事前に行なう必要がある。従って、ＰＣなどを操作して会員登録などを行った後でなければ、所定のアルバムの画像を閲覧することができない。
【０１１４】
この点、DVDプレーヤに、複数の画像を記録したＤＶＤを再生させて、それらの画像をディスプレイに表示させるようにすれば、ＰＣなどを操作して会員登録などを行うことなく、アルバムの画像の閲覧が可能になる。しかし、通常、ＤＶＤでは、追記的な書き込みが制限されており、一度作成されたアルバムの内容を変更することができない。このため、せっかくアルバムを作成して配布しても、すぐに飽きられてしまうことがある。
【０１１５】
これに対して、本発明によれば、ディスク１２が再生されて画像が表示されるので、ＰＣなどを操作して会員登録などを行うことなく、アルバムの画像の閲覧が可能になる。さらに、オンラインアルバムサービスを利用して画像を追加するなどすることにより、追記的な書き込みが制限されるディスク１２に記録されている画像により構成されるアルバムを、いわば仮想的に編集することが可能となる。従って、本発明を適用すれば、例えば、同じアルバムを何度でも楽しむことができるようになる。
【０１１６】
以上においては、画像をスライドショー表示する場合の例について説明したが、必ずしもスライドショー表示させる必要はない。また、以上においては、コンテンツが静止画像である場合の例について説明したが、コンテンツは動画像であってもよい。また、ディスク１２に記録されるデータは、これらに限られるものではなく、楽曲のデータや映画などのコンテンツもディスク１２に記録されるようにしてもよい。
【０１１７】
さらに、以上においては、ディスク１２に記録されたBD-Jのアプリケーションプログラム群が制御部２１で実行されることにより、図５のスライドショー表示処理が実行される場合の例について説明したが、本発明の実施の形態は必ずしもこれに限られるものではない。例えば、ディスク１２以外の記録媒体に記録されたアプリケーションプログラム群が制御部２１で実行されることにより、図５のスライドショー処理が実行されるようにすることも勿論可能である。
【０１１８】
次に、図１０および図１１を参照して、端末１１において再生可能なデータが記録された記録媒体であるディスク１２の製造方法の例について説明する。
【０１１９】
即ち、図１０に示すように、例えばガラスなどよりなる原盤が用意され、その上に、例えばホトレジストなどよりなる記録材料が塗布される。これにより、記録用原盤が製作される。
【０１２０】
そして、ソフト製作処理部において、端末１１において再生可能な記録媒体に記録されるソフトウェアが製作される。例えば、ソフト製作処理部において、映画などのコンテンツのデータが生成されて記録される場合、ソフト制作処理部は、図１１に示されるように構成される。
【０１２１】
図１１のソフト制作処理部では、符号化装置（ビデオエンコーダ）で符号化された、端末１１において再生可能な形式のビデオデータが、一時バッファに記憶される。また、オーディオエンコーダで符号化されたオーディオデータが、一時バッファに記憶されるとともに、更に、データエンコーダで符号化された、ストリーム以外のデータ（例えば、Indexes、Playlist、PlayItemなど）が一時バッファに記憶される。
【０１２２】
それぞれのバッファに記憶されたビデオデータ、オーディオデータ、および、ストリーム以外のデータは、多重化器（ＭＰＸ）で同期信号と共に多重化され、誤り訂正符号回路（ＥＣＣ）でエラー訂正用のコードが付加される。そして、変調回路（ＭＯＤ）で所定の変調がかけられ、所定のフォーマットにしたがって、例えば磁気テープなどに一旦記録され、端末１１において再生可能な記録媒体に記録されるソフトウェアが製作される。
【０１２３】
このソフトウェアを必要に応じて編集（プリマスタリング）し、光ディスクに記録すべきフォーマットの信号が生成される。そして、図１０に示すように、この記録信号に対応して、レーザビームが変調されて、このレーザビームが原盤上のホトレジスト上に照射される。これにより、原盤上のホトレジストが記録信号に対応して露光される。
【０１２４】
その後、この原盤を現像し、原盤上にピットを出現させる。このようにして用意された原盤に、例えば電鋳等の処理を施し、ガラス原盤上のピットを転写した金属原盤を製作する。この金属原盤から、さらに金属スタンパを製作し、これを成形用金型とする。
【０１２５】
この成形用金型に、例えばインジェクションなどによりＰＭＭＡ（アクリル）またはＰＣ（ポリカーボネート）などの材料を注入し、固定化させる。あるいは、金属スタンパ上に２Ｐ（紫外線硬化樹脂）などを塗布した後、紫外線を照射して硬化させる。これにより、金属スタンパ上のピットを、樹脂よりなるレプリカ上に転写することができる。
【０１２６】
このようにして生成されたレプリカ上に、反射膜が、蒸着あるいはスパッタリングなどにより形成される。あるいはまた、生成されたレプリカ上に、反射膜が、スピンコートにより形成される。
【０１２７】
その後、このディスクに対して内外径の加工が施され、２枚のディスクを張り合わせるなどの必要な処置が施される。さらに、ラベルを貼り付けたり、ハブが取り付けられて、カートリッジに挿入される。このようにして端末１１によって再生可能なデータが記録された記録媒体が完成する。
【０１２８】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１２に示されるような汎用のパーソナルコンピュータ７００などに、ネットワークや記録媒体からインストールされる。
【０１２９】
図１２において、CPU（Central Processing Unit）７０１は、ROM（Read Only Memory）７０２に記憶されているプログラム、または記憶部７０８からRAM（Random Access Memory）７０３にロードされたプログラムに従って各種の処理を実行する。RAM７０３にはまた、CPU７０１が各種の処理を実行する上において必要なデータなども適宜記憶される。
【０１３０】
CPU７０１、ROM７０２、およびRAM７０３は、バス７０４を介して相互に接続されている。このバス７０４にはまた、入出力インタフェース７０５も接続されている。
【０１３１】
入出力インタフェース７０５には、キーボード、マウスなどよりなる入力部７０６、ＬＣＤ(Liquid Crystal display)などよりなるディスプレイ、並びにスピーカなどよりなる出力部７０７、ハードディスクなどより構成される記憶部７０８、モデム、LANカードなどのネットワークインタフェースカードなどより構成される通信部７０９が接続されている。通信部７０９は、インターネットを含むネットワークを介しての通信処理を行う。
【０１３２】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１３３】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１３４】
なお、この記録媒体は、図１２に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているROM７０２や、記憶部７０８に含まれるハードディスクなどで構成されるものも含む。
【０１３５】
なお、本明細書において上述した一連の処理は、記載された順序に沿って時系列的に行われる処理はもちろん、必ずしも時系列的に処理されなくとも、並列的あるいは個別に実行される処理をも含むものである。
【０１３６】
また、本発明の実施の形態は、上述した実施の形態に限定されるものではなく、本発明の要旨を逸脱しない範囲において種々の変更が可能である。
【符号の説明】
【０１３７】
１０  ネットワークシステム，  １１  端末，  １２  ディスク，  １３  ネットワーク，  １４  サーバ，  １５  ＰＣ，  １６  ディスプレイ，  ３１  制御部，  ３２  記憶部，  ５１  サーバ接続制御部，  ５２  スライドショー表示制御部，  ５３  オンラインコンテンツ取得制御部，  ５４  コンテンツ表示制御部
【図１】
2010160827.tif 000003
【図２】
2010160827.tif 000004
【図３】
2010160827.tif 000005
【図４】
2010160827.tif 000006
【図５】
2010160827.tif 000007
【図６】
2010160827.tif 000008
【図７】
2010160827.tif 000009
【図８】
2010160827.tif 000010
【図９】
2010160827.tif 000011
【図１０】
2010160827.tif 000012
【図１１】
2010160827.tif 000013
【図１２】
2010160827.tif 000014